(57)【要約】【課題】  遺族が遺灰を高速走行体の窓から手を出すことなく遺灰を散骨でき、散骨されない遺灰を生じることもなく、高速走行体の改造の必要もなく適用できる等の利点を有する散骨機である。【課題手段】  散骨機１は、遺灰を収容する筒体２と、該筒体を取付けた支持棒３と、筒体を取付けた支持棒３をセスナ機の側壁２１の窓の開口部２２に取付ける取付け具４と、筒体の前後両端の開口に設けられた蓋を開閉するワイヤ操作具５とを備え、支持棒３で筒体２を窓の開口部２２から機外に突き出して、筒体を機体の長手方向に沿った姿勢に支持し、ワイヤ操作具５でワイヤ１０を引いて筒体２の前後両端の蓋を開くことにより、セスナ機の機外を流れる気流の空気を筒体内に先端から流入させて、筒体内の遺灰を随伴して後端から流出させる。【選択図】図１
2006247125.tif 000002
【特許請求の範囲】
【請求項１】
前後両端の開口に付勢手段により回動自在に付勢した蓋を有する、遺灰を収容する筒体と、該筒体を高速走行体の外方に突き出して該走行体の長手方向に沿った姿勢に支持する、該走行体の側壁に設けられた開口部に取り外し自在に取付けられる、該筒体を取付けた支持棒と、先端が前記各蓋の回動軸に取付けられ、後端を手で引くことによって該蓋を前記付勢手段に抗して開く、筒体および支持棒に沿って延設したガイドチューブ内を案内されるワイヤとを備えたことを特徴とする散骨機。
【請求項２】
前記ガイドチューブの後端部にワイヤ操作具を備え、該操作具は、一方の直線部と平行に他方の直線部の先端を突出させた略Ｌ字状の棒材からなる案内部材と、該案内部材の内側で一方の直線部を案内部材の一方の直線部にスライド自在に取付け、他方の直線部の先端を案内部材の突出部にスライド自在に取付けたＬ字状の棒材からなるスライド部材とを備え、該案内部材の一方の直線部の先端を前記ガイドチューブの後端に取付けるとともに、該スライド部材の一方の直線部の先端を該ガイドチューブの後端から露出されたワイヤの後端に取付け、さらに該ガイドチューブの後端とスライド部材との間に該スライド部材をワイヤの引っ張り方向とは反対方向に付勢するばねを取付けたことを特徴とする請求項１記載の散骨機。
【請求項３】
前記支持棒の取付け具を備え、該取付け具は、前記高速走行体の前記開口部に臨む側壁を両側から挟む、該側壁の開口端面に跨る断面Ｌ字状の第１板材と、該第１板材の跨り部に跨る断面Ｌ字状の第２板材とを備え、該第２板材の跨り部の外面に、前記支持棒に設けられた取付け部を互いに嵌合関係で保持する保持手段を設けるとともに、該第２板材の跨り部に跨り方向の長穴を設け、第１板材の跨り部に刻設したねじ穴に螺合する大径頭部を有するねじを該長穴に挿通して、該ねじで第１、第２の板材を締め付けることによって、該第1、第２の板材を前記側壁に取付けることを特徴とする請求項１または２記載の散骨機。
【発明の詳細な説明】
【技術分野】
【０００１】
本発明は、小型飛行機などの高速走行体から遺灰を散骨するのに使用する散骨機に関する。
【背景技術】
【０００２】
近年、都市部の墓地用地の不足や、必ずしも墓地のお墓に納骨することにこだわらない考えなどから、納骨堂に遺骨を納骨する方法が取り入れられて来ているが、さらに最近では、遺灰を自然に帰す自然散骨も行われ始めている。
【０００３】
自然散骨をする場合、船上から遺灰を海に撒く方法では問題はないが、高速で航行する走行体、例えばセスナ機などの小型飛行機で目的の海域に行き、海の上空で飛行機の窓を開け、遺族が窓から手を出して遺灰を撒く方法では、危険が伴い安全とは言い難く、また撒いた遺灰が気流に巻き込まれて機内に入ることも起こりえるので、実施するのに問題がある。
【０００４】
このようなことから、高速走行体の窓から手を出すことなく、遺灰を散骨することができる散骨機として、従来、飛行機の床に該床を貫く筒体を取付け、機内から紙で包んだ遺灰を筒体に入れ、これを押し棒で押し込んで、筒体内の途中に設けた蓋を押し開き、かつ紙は外に吸い出されないように機内側に残った端を手で掴んで、筒体から遺灰だけを機外の気流の負圧によって吸い出し、散骨するものが提案されている（例えば特許文献１を参照）。
【特許文献１】特開２００２−２３８９６１
【発明の開示】
【発明が解決しようとする課題】
【０００５】
しかしながら、上記特許文献１の散骨機では、紙で包んだ遺灰を筒体に押し込むことによって紙は破れるにしても、遺灰はグチャグチャになった紙の間にあるので、遺灰だけを完全に吸い出すことはできず、散骨されない遺灰が残って、紙を筒体から引き上げたときに遺灰が機内にこぼれる恐れがある。また紙で包んだ遺灰を筒体に棒で押し込む作業を要し、これを散骨に冥福等の気持ちを込める遺族が行うには問題がある。
【０００６】
また筒体は飛行機の床に穴をあけて筒体を通し、筒体に設けた取付け板をボルトで床板に取付けるため、飛行機を散骨専用に改造する必要があり、通常使用の飛行機を散骨のときだけ用途を変更して散骨に使用することはできない。
【０００７】
本発明の課題は、上記現状に鑑み、遺族が小型飛行機などの高速走行体の窓から手を出すことなく遺灰を散骨でき、散骨されない遺灰を生じることもなく、散骨に込める冥福等の気持ちを損なうこともなく、さらに高速走行体の改造の必要もなく適用できる散骨機を提供することである。
【課題を解決するための手段】
【０００８】
上記課題を解決するために、本発明の散骨機は、前後両端の開口に付勢手段により回動自在に付勢した蓋を有する、遺灰を収容する筒体と、該筒体を高速走行体の外方に突き出して該走行体の長手方向に沿った姿勢に支持する、該走行体の側壁に設けられた開口部に取り外し自在に取付けられる、該筒体を取付けた支持棒と、先端が前記各蓋の回動軸に取付けられ、後端を手で引くことによって該蓋を前記付勢手段に抗して開く、筒体および支持棒に沿って延設したガイドチューブ内を案内されるワイヤとを備えたことを特徴とする。
【０００９】
本発明の散骨機では、セスナ機等の高速走行体内で遺族がワイヤを引くと、支持棒で高速走行体の外に長手方向に沿った姿勢に支持された筒体の前後の蓋が開いて、高速走行体の外を流れる気流の空気が筒体内に先端から流入して、筒体内の遺灰を随伴して後端から流出するので、遺族が高速走行体の窓から手を出すことなく遺灰を目的の海域等に散骨することができ、筒体内に散骨されない遺灰が残ることもない。また散骨機のワイヤを引くことで散骨を行うので、遺族が込める冥福等の気持ちを損なうことなく、遺族の気持ちに適った散骨ができる。さらに先端に筒体を有する支持棒を高速走行体の側壁の開口部に取り外し自在に取付けるので、散骨機を通常使用の高速走行体に適用でき、高速走行体を散骨専用に改造する必要がない。
【００１０】
本発明によれば、前記ガイドチューブの後端部にワイヤ操作具を備え、該操作具は、一方の直線部と平行に他方の直線部の先端を突出させた略Ｌ字状の棒材からなる案内部材と、該案内部材の内側で一方の直線部を案内部材の一方の直線部にスライド自在に取付け、他方の直線部の先端を案内部材の突出部にスライド自在に取付けたＬ字状の棒材からなるスライド部材とを備え、該案内部材の一方の直線部の先端を前記ガイドチューブの後端に取付けるとともに、該スライド部材の一方の直線部の先端を該ガイドチューブの後端から露出されたワイヤの後端に取付け、さらに該ガイドチューブの後端とスライド部材との間に該スライド部材をワイヤの引っ張り方向とは反対方向に付勢するばねを取付けるようにすることができる。これによれば、案内部材とスライド部材のそれぞれの他方の直線部を手で閉めることによりワイヤを引いて、筒体の前後の蓋を開くことができる。
【００１１】
また本発明によれば、前記支持棒の取付け具を備え、該取付け具は、前記高速走行体の前記開口部に臨む側壁を両側から挟む、該側壁の開口端面に跨る断面Ｌ字状の第１板材と、該第１板材の跨り部に跨る断面Ｌ字状の第２板材とを備え、該第２板材の跨り部の外面に、前記支持棒に設けられた取付け部を互いに嵌合関係で保持する保持手段を設けるとともに、該第２板材の跨り部に跨り方向の長穴を設け、第１板材の跨り部に刻設したねじ穴に螺合する大径頭部を有するねじを該長穴に挿通して、該ねじで第１、第２の板材を締め付けることによって、該第１、第２の板材を前記側壁に取付けるようにすることができる。これによれば、先端に筒体を有する支持棒を高速走行体の側壁の開口部に容易に取り外し自在に取付けることができる。
【発明の効果】
【００１２】
本発明の散骨機によれば、遺族が小型飛行機などの高速走行体の窓から手を出すことなく遺灰を散骨でき、散骨されない遺灰を生じることもなく、散骨に込める冥福等の気持ちを損なうこともなく、さらに高速走行体の改造の必要もなく適用できる。
【発明を実施するための最良の形態】
【００１３】
以下、図面を参照して本発明の実施例を詳述する。図１は、本発明の散骨機の一実施例を示す斜視図である。本実施例において、散骨機１は、遺灰を収容する筒体２と、該筒体２を取付けた支持棒３と、筒体２を取付けた支持棒３を高速走行体であるセスナ機の側壁２１の窓の開口部２２に取付ける取付け具４と、筒体２の前後両端の開口に設けられた蓋を開閉するワイヤ操作具５とを備え、支持棒３で先端の筒体２を窓の開口部２２から機外に突き出して、筒体２を機体の長手方向に沿った姿勢に支持し、操作具５のワイヤ１０を引いて筒体２の前後両端の蓋を開くことにより、セスナ機の機外を流れる気流の空気を筒体２内に先端から流入させて、筒体２内の遺灰を空気に随伴させて後端から流出させ、遺灰を目的の例えば海域に上空から散骨するように使用される。
【００１４】
筒体２は、図２に示すように、塩ビ製の筒本体２ａと、筒本体２ａの前後に配置された金属製の管２ｂ、２ｃと、該筒本体２ａと前後の管２ｂ、２ｃとに跨ってこれらを連結した塩ビ製の連結管２ｄ、２ｅとからなっている。筒体２は支持棒３の先端に取付けられており、筒本体２ａの中央部の下側から横側にかけた部分が支持棒３の先端に設けられた取付け板３ａにビス止めされている。この筒本体２ａの前方寄りの位置には、遺灰の挿入部６が設けられ、遺灰の挿入部６は、図３に示すように、筒本体２ａの略上側から横側に周方向に伸びる遺灰挿入口６ａを開設し、該挿入口６ａを囲む縁部の上側の一端に挿入口６ａを閉じる扉６ｂを軸着してなっている。扉６ｂの先端にはフック６ｃが取付けられ、挿入口６ａを囲む縁部の下側の他端に留め金６ｄが取付けられている。挿入口６ａから筒体２内に遺灰を挿入後、扉６ｂを閉じ、フック６ｃに留め金６ｄを掛けて扉６ｂを挿入口６ａに係止する。
【００１５】
なお、筒体２は、上記の連結構造に限定するものではなく、筒体２の全体をプラスチック等で一体に形成してもよい。また筒体２および支持棒３は、仏事様の模様をあしらった布で表面が被覆されているが、図２では被覆を省いて示している。
【００１６】
筒体２の前後の管２ｂ、２ｃは、それぞれ空気導入用、遺灰排出用で、後の管２ｃは前の管２ｂより大径とされている。前後の管２ｂ、２ｃには、開口を塞ぐ開閉自在な円形の蓋７、８が設けられており、蓋７、８は管奥側の裏面が、管２ｂ、２ｃのそれぞれの管壁に軸支された水平な各回動軸９ａに直径方向に固定されている。管２ｂ、２ｃの外面から露出した各回動軸９ａの一端部は、管２ｂ、２ｃの外面に取付けた中空の支持具９ｃに遊嵌されるとともに、該一端部に２つのフランジ９ｂ１、９ｂ２を有する大径部９ｂが連設されており、支持具９ｃと内側のフランジ９ｂ１との間にコイルばね９ｄを取付けて、コイルばね９ｄによって回動軸９ａを介して蓋７、８が閉じ方向に付勢されている。蓋７、８の開成動作はワイヤ１０によって操作される。
【００１７】
ワイヤ１０を配設するために、筒本体２ａの中央部からそれぞれ前後の管２ｂ、２ｃに掛けて側方にガイドチューブ１１が設けられ、支持棒３内にガイドチューブ１２が設けられている。ワイヤ１０は、各ガイドチューブ１１内に通されたワイヤ１０ａと、ガイドチューブ１２内に通されたワイヤ１０ｂとからなっており、各ガイドチューブ１１から露出したワイヤ１０ａの先端は蓋７、８の各回動軸９ａに至り、各チューブ１１から露出したワイヤ１０ａの後端は、チューブ１２から露出したワイヤ１０ｂの先端に接続されている。ワイヤ１０ｂの先端は、筒本体２ａの近くでチューブ１２から露出した後、支持棒３の外面に出されている。
【００１８】
上記の各ワイヤ１０ａの先端は、蓋７、８の各回動軸９ａの大径部９ｂにフランジ９ｂ１と９ｂ２の間で下側から巻き掛けられ、大径部９ｂの上側の位置で外側のフランジ９ｂ２に固定されている。したがって、ワイヤ１０ｂを引いて各回動軸９ａのワイヤ１０ａを引くと、図４（ａ）、（ｂ）に蓋８の動作を示すように、蓋７、８がばね９ｄの付勢力に抗してＡ方向に回動して外方に前傾し、管２ｂ、２ｃの開口が開く（図４（ｂ））。ワイヤ１０を引くのを止めて緩めると、蓋７、８がばね９ｄの付勢力でＡ方向とは逆方向に回動して垂直姿勢なり、管２ｂ、２ｃの開口が閉じる（図４（ａ））。管２ｂ、２ｃの内面には回動軸９ａの略下方に、蓋７、８を閉じ位置に規制するスットパ９ｅが設けられている。
【００１９】
上記の支持棒３には、取付け具４によってセスナ機の側壁２１の窓の開口部２２に固定するために、長手方向の略中央部の下側に直角方向の水平な保持板１３が設けられており、保持板１３の支持棒３を挟んだ両側位置にはピン用の貫通穴１３ａが穿設されている。支持棒３の保持板１３の後端側は、支持棒３を窓の開口部２２に取付けたときに、側壁２１に沿ってセスナ機の室内に収まるように、後端部分を除き下方に大きく折曲されている。支持棒３の後端からはガイドチューブ１２が延出され、ガイドチューブ１２の後端部に前記のワイヤ操作具５が取付けられている。
【００２０】
取付け具４は、図５に示すように、断面Ｌ字状の第１、第２の板材１５、１６を備えてなっている。第１板材１５は、側壁２１の窓の開口部２２に臨む一方の面２１ａに長手方向の前後２箇所で当接する当接部１５ａと、該側壁２１の窓の開口部２２の端面２１ｃに跨って当接する跨り部１５ｂを有する。第２板材１６は、側壁２１の窓の開口部２２に臨む他方の面２１ｂに長手方向の前後２箇所で当接する当接部１６ａと、第１板材１５の跨り部１５ｂに長手方向の前後２箇所で跨って当接する跨り部１６ｂを有し、板材１５、１６が側壁２１を両側から挟むようになっている。板材１５、１６の側壁２１と接触する内面には、板材１５、１６による側壁２１との密着性の確保および側壁２１の傷付き防止のために、ゴム材１７がライニングしてある。
【００２１】
第２板材１６の跨り部１６ｂには跨り方向の長穴１６ｃを設け、第１板材１５の跨り部１５ｂにはねじ穴１５ｃを刻設して、長穴１６ｃに挿通した該長穴１６ｃの縁部にかかる大径頭部を有するねじ（ボルト）１６ｅをねじ穴１５ｃに螺着し、ねじ１６ｅで板材１５、１６を結合して取付け具５を構成する。取付け具５は、窓の開口部２２の端面２１ｃ上からかけて、板材１５、１６で側壁２１を両側から挟み、ねじ１６ｅで板材１５、１６を締め付けることによって開口部１１に取付けられる。
【００２２】
上記の第２板材１６の跨り部１６ｂの外面には、跨り方向の中央部に長手方向に間隔を置いてピン１６ｄが突設してあり、先端に筒体２を有する支持棒３を窓の開口部２２から外に突き出した状態で、支持棒３の保持板１３の貫通穴１３ａをピン１６ｄに嵌合して、支持棒３が窓の開口部２２に水平に取付けられる。これによって、支持棒３の先端の筒体２が、セスナ機の機外で機体の長手方向に沿った姿勢に支持される。セスナ機の側壁２１の窓の開口部２２には、上端を支点にして下側が開くガラス窓が設けられており、目的の海域の上空で窓ガラスを一杯に開いて、窓の開口部２２への取付け具４の取付け、取付け具４による筒体２を固定した支持棒３の窓の開口部２２への取付けを行う。
【００２３】
ワイヤ操作具５は、図６に示すように、一方の直線部１８ａと平行に他方の直線部１８ｂの先端を内側に突出させた略Ｌ字状の鉄棒からなる案内部材１８と、該案内部材１８の内側に配置したＬ字状の鉄棒からなるスライド部材１９とを備えてなっている。このスライド部材１９の一方の直線部１９ａに、２つのリング部１９ａ１を間隔を開けて設けて、該リング部１９ａ１を案内部材１８の直線部１８ａにスライド自在に嵌装し、スライド部材１９の他方の直線部１９ｂの先端にリング部１９ｂ１を設けて、リング部１９ｂ１を案内部材１８の突出部１８ｃにスライド自在に嵌装する。そして案内部材１８の一方の直線部ａの先端をガイドチューブ１２の後端に取付け、スライド部材１９の一方の直線部１９ａの先端を該チューブ１２の後端から露出させたワイヤ１０ｂの後端に取付け、スライド部材１９のガイドチューブ１２に近い側のリング部１９ａ１とガイドチューブ１２の後端との間に、スライド部材１９をワイヤ１０ｂの引っ張り方向とは反対方向に付勢するばね２０を取付けてある。
【００２４】
したがって、案内部材１８、スライド部材１９の直線部１８ｂ、１９ｂとが、手で握り締める把持部になり、この把持部を遺族が手で握り締めて、スライド部材１９を案内部材１８に対し引くと、ワイヤ１０（１０ａ、１０ｂ）が引かれて、セスナ機の機外の筒体２の前後の蓋が７、８が開く。これによって、機体の航行で発生した機体に沿って流れる気流の空気が筒体２内に先端から流入して、筒体２内の遺灰を伴って後端から流出し、遺灰が上空から海に散骨される。
【００２５】
本発明の散骨機１は、以上のように構成され、ワイヤ１０を引くことによって筒体２の前後の蓋７、８を開いて、セスナ機の外を流れる気流の空気を筒体２内に流入させ、筒体２内の遺灰を空気に随伴して流出させるので、遺族がセスナ機の窓から手を出すことなく、遺灰を目的の海域等に散骨することができ、筒体内に散骨されない遺灰が残ることもない。またワイヤ操作具５の把持部１８ｂ、１９ｂを手で握り締めることによって、ワイヤ１０を引くことで散骨を行うので、遺族が込める冥福等の気持ちを損なうことなく、遺族の気持ちに適った散骨ができる。さらに筒体２を支持した支持棒３をセスナ機の側壁２１の窓の開口部２２に取り外し自在に取付けるので、散骨機を通常使用のセスナ機にも適用でき、セスナ機を散骨専用に改造する必要がない。
【００２６】
以上の実施例では、高速走行体としてセスナ機を使用するとしたが、ヘリコプター等の小型飛行機でもよく、またモーターボート等の高速船舶でもよい。また先端に筒体を有する支持棒を取付ける場所は、高速走行体の側壁の窓ガラスで開閉する開口部に限られず、高速船舶の場合は、甲板の舷側側に位置している適当な側板の常時開口の開口部とすることができる。
【図面の簡単な説明】
【００２７】
【図１】本発明の散骨機の一実施例を示す全体図である。
【図２】図１の散骨機の筒体を示す断面図である。
【図３】図１の散骨機の遺灰挿入部を示す斜視図である。
【図４】図２の筒体の後端の開口の蓋の開閉動作を示す斜視図である。
【図５】図１の散骨機の支持棒の取付け具を示す斜視図（ａ）および断面図（ｂ）である。
【図６】図１の散骨機のワイヤ操作具を示す斜視図である。
【符号の説明】
【００２８】
１      散骨機                        ２      筒体
２ｂ    前の管                        ２ｃ    後の管
３      支持棒                        ３ａ    取付け板
３ｂ    貫通穴                        ４      取付け具
５      ワイヤ操作具                  ６      遺灰挿入部
７、８  蓋                            ９ａ    回動軸
９ｂ    大径部                        ９ｄ    コイルばね
１０、１０ａ、１０ｂ  ワイヤ          １１、１２  ガイドチューブ
１５    第１板材                      １６    第２板材
１８    案内部材                      １９    スライド部材
２０    ばね                          ２１    側壁
２２    窓の開口部
【図１】
2006247125.tif 000003
【図２】
2006247125.tif 000004
【図３】
2006247125.tif 000005
【図４】
2006247125.tif 000006
【図５】
2006247125.tif 000007
【図６】
2006247125.tif 000008